(57)【要約】  複数の空調機のうちから、空調対象空間における指定位置の空調環境に影響を与える空調機を選択することができる空調管理装置を得る。  配置図２００のうち、指定位置Ｐが属する空調対象空間内であって、指定位置から所定範囲内の領域を、制御対象範囲ＳＰとして求め、配置図２００における設置位置が制御対象範囲に含まれる空調機を、制御対象の空調機として選択する。
2012172595.tif 000002
【特許請求の範囲】
【請求項１】
複数の空調機の動作を制御する空調管理装置であって、
１つまたは複数の空調対象空間の配置を示す配置図の情報、および、前記配置図における前記空調機の設置位置を示す空調機位置情報が、記憶される記憶装置と、
前記配置図における任意の指定位置の情報を、入力させる入力装置と、
表示装置と、
前記配置図の情報および前記空調機位置情報に基づき、前記空調機の設置位置を表示した前記配置図を前記表示装置に表示させると共に、前記複数の空調機のうち制御対象の空調機として選択した空調機の動作を制御する制御装置と、
を備え、
前記制御装置は、
前記配置図のうち、前記指定位置が属する前記空調対象空間内であって、前記指定位置から所定範囲内の領域を、制御対象範囲として求め、
前記配置図における設置位置が前記制御対象範囲に含まれる前記空調機を、前記制御対象の空調機として選択する
ことを特徴とする空調管理装置。
【請求項２】
前記配置図の情報は、
前記空調対象空間の形状および他の空調対象空間との境界を、彩色により表示する画像情報であり、
前記制御装置は、
前記配置図における前記指定位置の表示色に基づき、前記制御対象範囲を求める
ことを特徴とする請求項１記載の空調管理装置。
【請求項３】
前記制御装置は、
前記所定範囲を、前記空調機から吹き出される空気の到達範囲に基づき設定した
ことを特徴とする請求項１または２記載の空調管理装置。
【請求項４】
前記入力装置は、
前記配置図における任意の指定範囲の情報を入力させ、
前記制御装置は、
前記所定範囲を、前記入力装置から入力された前記指定範囲に基づき設定した
ことを特徴とする請求項１または２記載の空調管理装置。
【請求項５】
前記空調機毎に検出された室内温度の情報を取得する空調機管理部を備え、
前記制御装置は、
前記制御対象の空調機で検出された室内温度に基づき、前記制御対象の空調機の動作を制御する
ことを特徴とする請求項１〜４の何れか１項に記載の空調管理装置。
【請求項６】
前記制御装置は、
前記制御対象の空調機で検出された室内温度の平均値が、前記複数の空調機でそれぞれ検出された室内温度全体の平均値に近づくように、前記制御対象の空調機の動作を制御する
ことを特徴とする請求項５記載の空調管理装置。
【発明の詳細な説明】
【技術分野】
【０００１】
本発明は、複数の空調機の動作を制御する空調管理装置に関する。
【背景技術】
【０００２】
ビル等の建物では、使用者が管理する対象の空間の状況を認識し、意図した通りに空調機が操作可能であることが望まれている。それを実現する方法として、これまで、消費電力量や空調機から取得した温度を表示し、使用者に空間の状況を認識させ、空調機を操作させる方法や、複数の空調機をグループとして纏めて操作する方法などが実現されている。【０００３】
例えば、「複数の設備機器が散在する空間の様子を概略的に表現するとともに、当該設備機器の様子を簡便な操作に応じて概略的に表現する管理画面を提供する機器管理装置」が開示されている。（例えば、特許文献１参照）。【０００４】
また例えば、空調機の状態をグループ単位で表示することが開示されている。また、空調機の各操作をグループ別または一括で行うことが開示されている（例えば、非特許文献１参照）。
【先行技術文献】
【特許文献】
【０００５】
【特許文献１】特開２０１０−２５５９５４号公報（要約）
【非特許文献】
【０００６】
【非特許文献１】「Ｇ−１５０ＡＤ  取扱説明書ＷＴ０５４９５Ｘ０２」三菱電機製、２００８年１１月、ｐ．１５−１９
【発明の概要】
【発明が解決しようとする課題】
【０００７】
ビル等の建物内に空調機が配置される際、１つの空間（空調対象空間）に複数の空調機が配置されることがある。この場合、空調機の間隔は一定の間隔で配置されることが多く、空間の上部に空調機が存在しない場所が存在することがある。このように上部に空調機が存在しない空間（位置）の空調する場合、当該位置の周辺に配置された空調機により空調を行う必要がある。
このため、空調対象空間に配置された複数の空調機のうち、当該位置の空調環境（温度、湿度等）に影響を与える空調機を適切に動作させることが望まれる。【０００８】
しかしながら、従来の空調管理装置は、空調機単位でしか操作指令を出すことができないために、使用者が意図した空間（位置）の空調環境に与える影響が大きい空調機を選択することができず、使用者が意図した空調ができない、という問題点があった。
また従来の空調管理装置は、予め設定したグループ単位または全空調機を一括で操作を行うため、使用者が意図しない空間の空調を行うこととなり、室内環境の快適性を低下させる、という問題点があった。また、不要な空調を行い消費電力が大きくなる、という問題点があった。【０００９】
本発明は、上記のような課題を解決するためになされたもので、複数の空調機のうちから、空調対象空間における指定位置の空調環境に影響を与える空調機を選択することができる空調管理装置を得るものである。
また、指定位置における空調環境を使用者が所望する空調環境とすることができる空調管理装置を得るものである。
【課題を解決するための手段】
【００１０】
本発明に係る空調管理装置は、複数の空調機の動作を制御する空調管理装置であって、１つまたは複数の空調対象空間の配置を示す配置図の情報、および、前記配置図における前記空調機の設置位置を示す空調機位置情報が、記憶される記憶装置と、前記配置図における任意の指定位置の情報を、入力させる入力装置と、表示装置と、前記配置図の情報および前記空調機位置情報に基づき、前記空調機の設置位置を表示した前記配置図を前記表示装置に表示させると共に、前記複数の空調機のうち制御対象の空調機として選択した空調機の動作を制御する制御装置と、を備え、前記制御装置は、前記配置図のうち、前記指定位置が属する前記空調対象空間内であって、前記指定位置から所定範囲内の領域を、制御対象範囲として求め、前記配置図における設置位置が前記制御対象範囲に含まれる前記空調機を、前記制御対象の空調機として選択するものである。
【発明の効果】
【００１１】
本発明は、複数の空調機のうちから、空調対象空間における指定位置の空調環境に影響を与える空調機を選択することができる。
【図面の簡単な説明】
【００１２】
【図１】実施の形態１に係る空調管理装置の構成を示すブロック図である。
【図２】実施の形態１に係る配置図の構成を示す図である。
【図３】実施の形態１に係る空調機位置情報のデータ構成を示す図である。
【図４】実施の形態１に係る座標定義を説明する図である。
【図５】実施の形態１に係る配置図画面を示す図である。
【図６】実施の形態１に係る空調管理装置の動作を示すフローチャートである。
【図７】実施の形態１に係る制御対象空調機の選択動作を説明する図である。
【図８】実施の形態１に係る制御対象空調機の選択動作を説明する図である。
【図９】実施の形態１に係る制御対象空調機の選択動作を説明する図である。
【図１０】実施の形態１に係る制御対象範囲の算出動作を示すフローチャートである。
【図１１】実施の形態１に係る制御対象範囲の算出動作を示すフローチャートである。
【図１２】実施の形態１に係る制御対象範囲の算出動作を示すフローチャートである。
【図１３】実施の形態１に係る画素の走査方向を示す概念図である。
【図１４】実施の形態１に係る画素の走査方向を示す概念図である。
【図１５】実施の形態２に係る空調管理装置の動作を示すフローチャートである。
【発明を実施するための形態】
【００１３】
実施の形態１．
図１は実施の形態１に係る空調管理装置の構成を示すブロック図である。
図１において、空調管理装置１００は、複数の室内機３０（以下、空調機ともいう）およびこれに対応する室外機２０の動作を統合的に制御するものである。
この空調管理装置１００は、複数の室外機２０に専用通信線またはＬＡＮで接続されている。空調管理装置１００と各室外機２０の間は、信号交換が可能となっている。
また、各室外機２０は、空調機として複数の室内機３０と、専用通信線またはＬＡＮで接続されている。空調管理装置１００と各室内機３０との間は、室外機２０を介して、信号交換が可能となっている。
空調管理装置１００は、少なくとも、各室内機３０および各室外機２０の運転開始および停止を制御する信号を、各室内機３０および各室外機２０に送信することが可能である。
また、各室内機３０および各室外機２０は、それぞれ自身の運転状態を空調管理装置１００に送信することが可能である。
【００１４】
各室内機３０には、当該室内機３０が配置される室内からの吸入空気の温度または室内の指定した位置の温度（以下「室内温度」という。）を検出する室温センサ３１を備えている。各室内機３０は、少なくとも室内温度の情報を空調管理装置１００に送信することが可能である。なお、室温センサ３１には壁面温度や床面温度を計測できるようなセンサを用いて室内温度を検出しても良い。
【００１５】
空調管理装置１００は、対象空調機算出部１、データ管理部２、入力部３、表示部４、空調機管理部５、通信管理部６、ＬＡＮ通信管理部７を備えている。
対象空調機算出部１、空調機管理部５、ＬＡＮ通信管理部７は、これらの機能を実現する回路デバイスなどのハードウェアで実現することもできるし、マイコンやＣＰＵなどの演算装置上で実現されるソフトウェアとして実現することもできる。
データ管理部２は、ＨＤＤ（Ｈａｒｄ  Ｄｉｓｋ  Ｄｒｉｖｅ）やフラッシュメモリなどの記憶装置で構成することができる。
入力部３は、タッチパネルなどの入力装置で構成することができる。
表示部４は、液晶ディスプレイなどの画像出力装置で構成することができる。
通信管理部６は、ＬＡＮインターフェースなどのネットワークインターフェースにより構成することができる。
【００１６】
対象空調機算出部１は、データ管理部２で保持している情報と、入力部３から入力される指定位置（指定範囲）の情報とに基づいて、複数の空調機のうち制御対象の空調機を算出するものである。算出動作については後述する。
なお、「対象空調機算出部１」は、本発明における「制御装置」に相当する。
【００１７】
データ管理部２は、各室内機３０から取得した温度データや各室内機３０が設置されている環境情報、および各室内機３０の設置情報が記憶される。環境情報は、使用者により予め設定されるものであり、少なくとも環境の寸法を含む。また、各室内機３０の設置情報は、使用者により予め設定されるものであり、少なくとも設置環境内の相対位置が分かる情報を含む。詳細は後述する。
このデータ管理部２は、空調機データ記憶部８と空間情報記憶部９とを備えている。
なお、「データ管理部２」は、本発明における「記憶装置」に相当する。
【００１８】
空間情報記憶部９は、１つまたは複数の空調対象空間の配置を示す配置図２００の情報が記憶される。
図２は実施の形態１に係る配置図の構成を示す図である。
配置図２００は、空調機が設置される１つまたは複数の空調対象空間の配置を示すレイアウト図（平面図）である。
図２の例では、配置図２００は、空調対象空間としての各部屋の形状・配置を示す画像により構成されている。
なお、空調対象空間が１つの場合はその形状のみを示す画像としても良い。なお、この配置図２００には、空調対象空間に設けられている通路や窓、扉や階段、柱などの構造物を示しても良いし、文字を付しても良い。また空調対象空間の寸法の情報を合わせて保存するようにしても良い。
【００１９】
この配置図２００の画像としては、空調対象空間の形状および他の空調対象空間との境界を、彩色により表示する。例えば、部屋などの空調対象空間の背景色をグレーに彩色し、壁や柱などの構造物を白色または黒色に彩色する。
また、配置図２００の彩色は、例えば、赤（Ｒ）・緑（Ｇ）・青（Ｇ）の各色（以下、ＲＧＢという。）の輝度を０〜２５５の範囲で設定することで、彩色した画像を用いることができる。
なお、この配置図２００は、空調対象空間の広さや階数などに応じて、複数設けるようにしても良い。また、配置図２００は、平面図に限らず、俯瞰図など任意の図を用いても良い。
【００２０】
空調機データ記憶部８は、各室内機３０に接続されている室温センサ３１の位置情報や、各室内機３０に接続された室温センサ３１から取得した室内温度のデータなどが保存される。また、空調機データ記憶部８には、空調機位置情報３００が記憶される。
【００２１】
図３は実施の形態１に係る空調機位置情報のデータ構成を示す図である。
空調機位置情報３００は、配置図２００における各空調機の設置位置を示す情報である。
図３に示すように、空調機位置情報３００は、空調機ＩＤ、設備機器名、座標ｘ、座標ｙを有している。
空調機ＩＤは、各空調機を識別する情報である。例えば、各空調機にそれぞれ固有の番号である。
空調機名は、各空調機にそれぞれ付した名称である。例えば、設置する空調対象空間の名称と機種などを基に付した名称である。なお、この空調機名の情報は省略しても良い。
【００２２】
空調機位置情報３００の座標ｘおよび座標ｙは、配置図２００上において、空調機の設置位置を示す情報である。例えば図４に示すように、配置図２００の横軸をｘ軸、縦軸をｙ軸として、配置図２００の画素と座標とを対応させる。例えば座標（ｘ，ｙ）＝（２００，２００）の場合、画面左下端から右方向に２００画素、上方向に２００画素の位置を示している。なお、座標の定義はこれに限るものではなく、ベクトル座標などを用いても良い。
この空調機の設置位置を示す情報は、配置図２００上に空調機の図形（アイコン）を表示させる位置情報として用いられる他、制御対象の空調機を選択する際に用いられる。詳細は後述する。
なお、配置図２００に表示する空調機のアイコンは、空調機の種類などにより変更するようにしても良い。この場合、例えばアイコンの種類を識別する情報（アイコンＩＤ）を各空調機ごとに記憶させるようにしても良い。
【００２３】
入力部３は、使用者からの操作情報を取得するものである。この入力部３は、配置図２００における任意の指定位置の情報を入力するものである。
なお、「入力部３」は、本発明における「入力装置」に相当する。
【００２４】
表示部４は、空調機管理部５で保持している空調機の運転データ、空調機データ記憶部８で保持している各室内機３０の運転データや室内温度のデータ、空間情報記憶部９で保持しているフロア図面等を表示するものである。
なお、「表示部４」は、本発明における「表示装置」に相当する。
【００２５】
通信管理部６は、空調管理装置１００に接続されている室外機２０および室内機３０等との情報伝達を行うものである。
この通信管理部６は、空調機管理部５からの情報を空調管理装置１００に接続された空調機器に伝達する。また空調機器等からの情報を受け取り空調機管理部５へ伝達する。
【００２６】
ＬＡＮ通信管理部７は、空調管理装置１００にＬＡＮ（Ｌｏｃａｌ  Ａｒｅａ  Ｎｅｔｗｏｒｋ）で接続されている遠隔監視装置等（図示せず）の機器との情報伝達を行うためのものである。
【００２７】
空調機管理部５は、空調管理装置１００に接続された室外機２０および室内機３０の運転データ（例えば運転開始、運転停止、冷暖房の区分、風速、風量、設定温度等）を管理するものである。この空調機管理部５は、通信管理部６、ＬＡＮ通信管理部７、データ管理部２、対象空調機算出部１と接続され、運転データの情報を伝達する。
また、空調機管理部５は、表示部４に配置図２００を表示させると共に、配置図２００内の空調機の表示に対応して、運転データに関する情報を表示させる。具体例を図５により説明する。
【００２８】
図５は実施の形態１に係る配置図画面を示す図である。
例えば空調管理装置１００を起動した際や使用者からの操作によって、以下の手順により配置図表示の動作を実行する。
（１）空調機管理部５は、データ管理部２に記憶された配置図２００を読み込む。
（２）空調機管理部５は、空調機位置情報３００を参照し、各空調機ＩＤのそれぞれについて、空調機アイコン２１０をデータ管理部２から読み込む（図５（ａ））。
（３）空調機管理部５は、空調機位置情報３００の座標ｘ、ｙに基づき、配置図２００の対応する座標位置に、読み込んだ空調機アイコン２１０を合成し、各空調機の設置位置を表示した配置図２００を生成する（図５（ｂ））。
（４）空調機管理部５は、各空調機の設置位置を表示した配置図２００を、表示部４に表示させる。
【００２９】
なお、複数の配置図２００を有する場合には、使用者は、表示させる配置図２００を選択する操作を入力し、当該選択された配置図２００について上記動作を実施する。なお、所定の配置図２００を予め選択するようにしても良い。
【００３０】
このように配置図２００を生成することで、例えば改修工事などにより空調機の増減、位置の変更があった場合でも、容易に配置図２００を修正することができる。
なお、ここでは、配置図２００と、各空調機を示す空調機アイコン２１０とを合成する場合を説明するが、本発明はこれに限らず、予め、空調対象空間を示すレイアウトに、空調機を表示した図を用いても良い。
なお、「空調機管理部５」は、本発明における「制御装置」に相当する。
【００３１】
次に、本実施の形態１における空調管理装置１００の動作について説明する。
【００３２】
まず、動作の概要について説明する。
使用者は、入力部３を操作し、表示部４に表示された配置図２００における任意の指定位置Ｐの情報を入力する。
対象空調機算出部１は、入力された指定位置Ｐの情報に基づき、配置図２００のうち指定位置Ｐが属する空調対象空間内であって、指定位置Ｐから所定範囲内の領域を、制御対象範囲ＳＰとして求める。
対象空調機算出部１は、配置図２００における設置位置が制御対象範囲ＳＰに含まれる空調機を、制御対象の空調機として選択する。
空調機管理部５は、制御対象の空調機として選択した空調機の動作を制御する。
【００３３】
次に、このような空調管理装置１００の動作の詳細を、図２〜図５を用いて説明する。
【００３４】
図６は実施の形態１に係る空調管理装置の動作を示すフローチャートである。
図７〜図９は実施の形態１に係る制御対象空調機の選択動作を説明する図である。
以下、図６の各ステップに基づき、図７〜図９の（ａ）〜（ｄ）を参照しつつ説明する。
【００３５】
（Ｓ１）操作情報の取得動作
まず、使用者は、入力部３を操作して、表示部４に表示された配置図２００のうち、空調環境の制御を望む任意の位置（指定位置Ｐ）の情報を入力する（図７（ａ））。
例えば、入力部３を、表示部４の前面に配置したタッチパネルで構成する場合、使用者は、タッチパネル上の指定位置Ｐを押下する。これにより、配置図２００における指定位置Ｐの座標情報が対象空調機算出部１へ入力される。
対象空調機算出部１は、使用者により入力された指定位置Ｐの情報を、入力部３から取得する。
【００３６】
なお、ここでは、指定位置Ｐが１点の座標の場合を説明するが、これに限らず、連続した複数の座標でも良い。また、例えば広がりをもつ座標の範囲など、任意の範囲（指定範囲）を入力するようにしても良い。
なお、指定位置Ｐとして、例えば壁や柱などの構造物体や空調対象空間の外の空間（屋外）などの位置が指定された場合には、当該入力を無効にするようにしても良い。例えば、各空調対象空間の背景色を所定の色（例えばグレー）に統一し、この指定位置Ｐの背景色が前記所定の色以外である場合は無効とする。
【００３７】
（Ｓ２）制御対象範囲ＳＰの算出
次に、対象空調機算出部１は、制御対象範囲ＳＰの算出を行う。
ここでは一例として、対象空調機算出部１は、配置図２００における指定位置Ｐの表示色に基づき、制御対象範囲ＳＰを求める場合を説明する。
【００３８】
対象空調機算出部１は、上記ステップＳ１で取得した指定位置Ｐを中心として、ｘ方向、−ｘ方向、ｙ方向、−ｙ方向にそれぞれ所定の定数Ｔの範囲を、制御対象範囲ＳＰを決定するための仮の範囲ＳＰ１とする（図８（ｂ））。
なお、指定位置Ｐを中心とした±ｘｙ方向の定数Ｔの範囲（仮の範囲ＳＰ１）は、本発明における「所定範囲」に相当する。
【００３９】
なお、定数Ｔは、可変としても良く、例えば使用者の操作により任意に設定できるようにしても良い。また、空間の場所ごとに設定できるようにしても良い。
なお、ここでは±ｘｙ方向の定数Ｔの範囲を所定範囲として設定する場合を説明するが、本発明はこれに限らず、指定位置Ｐを中心とする半径Ｔの円周内を所定範囲としても良い。
また、上記ステップＳ１において、例えば広がりをもつ座標の範囲など、配置図２００における任意の指定範囲の情報が入力された場合、当該指定範囲を、仮の範囲ＳＰ１としても良い。
また、例えば空調機位置情報３００に、空調機から吹き出される空気が到達する距離の最大値の情報を予め記憶させ、配置図２００の画素（ドット）あたりの空調対象空間での距離との関係から、空調機から吹き出される空気の到達範囲に相当するドット数を上記所定の定数Ｔとして設定しても良い。これにより、空調機の能力に応じて、指定位置Ｐに影響を与える範囲を制御対象範囲ＳＰとすることができる。
【００４０】
対象空調機算出部１は、仮の範囲ＳＰ１のうち、指定位置Ｐから±ｘ軸方向、±ｙ軸方向、およびｙ＝±ｘ方向について、配置図２００の表示色情報を分析し、指定位置Ｐと同一の色彩の範囲（同一の空調対象空間の範囲）を、制御対象範囲ＳＰとして決定する（図８（ｃ））。
すなわち、対象空調機算出部１は、配置図２００のうち、指定位置Ｐが属する空調対象空間内であって、指定位置Ｐから所定範囲内の領域を、制御対象範囲ＳＰとして求める。
このような動作の詳細について、図１０〜図１２を用いて説明する。
【００４１】
図１０は実施の形態１に係る制御対象範囲の算出動作を示すフローチャートである。
以下、図１０の各ステップに基づき、指定位置Ｐから±ｘ軸方向、±ｙ軸方向における制御対象範囲ＳＰの算出動作を説明する。
【００４２】
（Ｓ１０）
対象空調機算出部１は、指定位置Ｐの座標位置を（０，０）と仮定する。
（Ｓ１１〜Ｓ１５）
対象空調機算出部１は、初期値ｘ＝０，終値＋Ｔ，増分＋１：ｙ＝０固定値として、繰り返し処理を行う。
【００４３】
この繰り返し処理Ｓ１１〜Ｓ１５において、対象空調機算出部１は、配置図２００の指定位置Ｐを基準（原点）とした座標（ｘ，ｙ）の背景色を取得し（Ｓ１２）、取得した座標（ｘ，ｙ）の背景色が、指定位置Ｐの背景色と同一であるか否かを判定する（Ｓ１３）。
なお、ここでは一例として、座標（ｘ，ｙ）の背景色が、指定位置Ｐの背景色と同一であるか否かを判定する場合を説明するが、本発明はこれに限るものではない。配置図２００における壁や柱などの構造物と空調対象空間との区別ができるものであれば良い。例えば、予め壁や柱などの構造物の彩色の情報を設定し、当該座標（ｘ，ｙ）がこれら構造物の色と一致しないことを条件としても良い。
【００４４】
座標（ｘ，ｙ）の背景色が指定位置Ｐの背景色と同一である場合は、当該座標（ｘ，ｙ）が制御対象範囲ＳＰに含まれると判定する（Ｓ１４）。そして、ｘを＋１だけ増加させ、ｘが終値Ｔとなるまで上記動作を繰り返す（Ｓ１５）。
一方、座標（ｘ，ｙ）の背景色が指定位置Ｐの背景色と同一でない場合は、繰り返し処理を脱け、ステップＳ１６に進む。
【００４５】
このような処理により、対象空調機算出部１は、配置図２００の画素（ドット）のうち、指定位置Ｐから＋ｘ方向のドットが指定位置Ｐの背景色と一致しているかを確認し、背景色と一致している範囲を制御対象範囲ＳＰとする。
【００４６】
なお、配置図２００の背景色は、使用者により設定できるようにしても良い。また、背景色は、１色に限らず、ＲＧＢ各色の設定値に幅を持たせても良い。
また、配置図２００の画像内で使用している色の中で、最もドット数が多い色を背景色にするような自動的に設定を行うようにしても良い。
【００４７】
（Ｓ１６）
対象空調機算出部１は、初期値ｘ＝０，終値−Ｔ，増分−１：ｙ＝０固定値として、上記ステップＳ１１〜Ｓ１５と同様の繰り返し処理を行う。
この繰り返し処理において、対象空調機算出部１は、配置図２００の画素（ドット）のうち、指定位置Ｐから−ｘ方向のドットが指定位置Ｐの背景色と一致しているかを確認し、背景色と一致している範囲を制御対象範囲ＳＰとする。
【００４８】
（Ｓ１７）
対象空調機算出部１は、初期値ｙ＝０，終値＋Ｔ，増分１：ｘ＝０固定値として、上記ステップＳ１１〜Ｓ１５と同様の繰り返し処理を行う。
この繰り返し処理において、対象空調機算出部１は、配置図２００の画素（ドット）のうち、指定位置Ｐから＋ｙ方向のドットが指定位置Ｐの背景色と一致しているかを確認し、背景色と一致している範囲を制御対象範囲ＳＰとする。
【００４９】
（Ｓ１８）
対象空調機算出部１は、初期値ｙ＝０，終値−Ｔ，増分−１：ｘ＝０固定値として、上記ステップＳ１１〜Ｓ１５と同様の繰り返し処理を行う。
この繰り返し処理において、対象空調機算出部１は、配置図２００の画素（ドット）のうち、指定位置Ｐから−ｙ方向のドットが指定位置Ｐの背景色と一致しているかを確認し、背景色と一致している範囲を制御対象範囲ＳＰとする。
【００５０】
図１１および図１２は実施の形態１に係る制御対象範囲の算出動作を示すフローチャートである。
以下、図１１および図１２の各ステップに基づき、指定位置Ｐからｙ＝±ｘ方向（以下、斜め方向ともいう。）における制御対象範囲ＳＰの算出動作を説明する。
【００５１】
（Ｓ２０）
対象空調機算出部１は、指定位置Ｐの座標位置を（０，０）と仮定する。
（Ｓ２１〜Ｓ２７）
対象空調機算出部１は、初期値ｚ＝０，終値Ｔ−１，増分＋１として、変数ｚについて繰り返し処理を行う。
（Ｓ２２〜Ｓ２６）
さらに、対象空調機算出部１は、初期値ｘ＝０，終値＋Ｔ，増分＋１：初期値ｙ＝ｚ，終値＋Ｔ，増分＋１とし、変数ｘ、ｙについて繰り返し処理を行う。
【００５２】
繰り返し処理Ｓ２２〜Ｓ２６において、対象空調機算出部１は、配置図２００の指定位置Ｐを基準（原点）とした座標（ｘ，ｙ）の背景色を取得し（Ｓ２３）、取得した座標（ｘ，ｙ）の背景色が、指定位置Ｐの背景色と同一であるか否かを判定する（Ｓ２４）。
なお、ここでは一例として、座標（ｘ，ｙ）の背景色が、指定位置Ｐの背景色と同一であるか否かを判定する場合を説明するが、本発明はこれに限るものではない。配置図２００における壁や柱などの構造物と空調対象空間との区別ができるものであれば良い。例えば、予め壁や柱などの構造物の彩色の情報を設定し、当該座標（ｘ，ｙ）がこれら構造物の色と一致しないことを条件としても良い。
【００５３】
座標（ｘ，ｙ）の背景色が指定位置Ｐの背景色と同一である場合は、当該座標（ｘ，ｙ）が制御対象範囲ＳＰに含まれると判定する（Ｓ２５）。そして、ｘおよびｙを、それぞれ＋１だけ増加させ、ｘおよびｙが終値Ｔとなるまで上記動作を繰り返す。
一方、座標（ｘ，ｙ）の背景色が指定位置Ｐの背景色と同一でない場合は、ステップＳ２７に進み、ｚを＋１だけ増加させ、ｚが終値Ｔ−１となるまで上記動作を繰り返す。
【００５４】
このような処理により、対象空調機算出部１は、配置図２００の画素（ドット）のうち、指定位置Ｐから斜め方向に、ｘ＝０〜Ｔ、ｙ＝ｚ〜Ｔ（ｚ＝０〜Ｔ−１とする）の範囲のドットが、指定位置Ｐの背景色と一致しているかを確認し、背景色と一致している範囲を制御対象範囲ＳＰとする。
【００５５】
なお、配置図２００の背景色は、使用者により設定できるようにしても良い。また、背景色は、１色に限らず、ＲＧＢ各色の設定値に幅を持たせても良い。
また、配置図２００の画像内で使用している色の中で、最もドット数が多い色を背景色にするような自動的に設定を行うようにしても良い。
【００５６】
（Ｓ２８）
対象空調機算出部１は、上記ステップＳ２１〜Ｓ２７と同様の繰り返し処理を、変数ｚについて、初期値ｚ＝０，終値Ｔ−１，増分＋１とし、変数ｘ、ｙについて、初期値ｘ＝０，終値−Ｔ，増分−１：初期値ｙ＝ｚ，終値＋Ｔ，増分＋１の条件で実施する。
【００５７】
このような処理により、対象空調機算出部１は、配置図２００の画素（ドット）のうち、指定位置Ｐから斜め方向に、ｘ＝０〜−Ｔ、ｙ＝ｚ〜Ｔ（ｚ＝０〜Ｔ−１とする）の範囲のドットが、指定位置Ｐの背景色と一致しているかを確認し、背景色と一致している範囲を制御対象範囲ＳＰとする。
【００５８】
（Ｓ２９）
対象空調機算出部１は、上記ステップＳ２１〜Ｓ２７と同様の繰り返し処理を、変数ｚについて、初期値ｚ＝０，終値−Ｔ＋１，増分−１とし、変数ｘ、ｙについて、初期値ｘ＝０，終値＋Ｔ，増分＋１：初期値ｙ＝ｚ，終値−Ｔ，増分−１の条件で実施する。
【００５９】
このような処理により、対象空調機算出部１は、配置図２００の画素（ドット）のうち、指定位置Ｐから斜め方向に、ｘ＝０〜Ｔ、ｙ＝ｚ〜−Ｔ（ｚ＝０〜−Ｔ＋１とする）の範囲のドットが、指定位置Ｐの背景色と一致しているかを確認し、背景色と一致している範囲を制御対象範囲ＳＰとする。
【００６０】
（Ｓ３０）
対象空調機算出部１は、上記ステップＳ２１〜Ｓ２７と同様の繰り返し処理を、変数ｚについて、初期値ｚ＝０，終値−Ｔ＋１，増分−１とし、変数ｘ、ｙについて、初期値ｘ＝０，終値−Ｔ，増分−１：初期値ｙ＝ｚ，終値−Ｔ，増分−１の条件で実施する。
【００６１】
このような処理により、対象空調機算出部１は、配置図２００の画素（ドット）のうち、指定位置Ｐから斜め方向に、ｘ＝０〜−Ｔ、ｙ＝ｚ〜−Ｔ（ｚ＝０〜−Ｔ＋１とするの範囲のドットが、指定位置Ｐの背景色と一致しているかを確認し、背景色と一致している範囲を制御対象範囲ＳＰとする。
【００６２】
（Ｓ３１）
対象空調機算出部１は、上記ステップＳ２１〜Ｓ２７と同様の繰り返し処理を、変数ｚについて、初期値ｚ＝０，終値Ｔ−１，増分＋１とし、変数ｘ、ｙについて、初期値ｘ＝ｚ，終値＋Ｔ，増分＋１：初期値ｙ＝０，終値＋Ｔ，増分＋１の条件で実施する。
【００６３】
このような処理により、対象空調機算出部１は、配置図２００の画素（ドット）のうち、指定位置Ｐから斜め方向に、ｘ＝ｚ〜Ｔ、ｙ＝０〜Ｔ（ｚ＝０〜Ｔ−１とする）の範囲のドットが、指定位置Ｐの背景色と一致しているかを確認し、背景色と一致している範囲を制御対象範囲ＳＰとする。
【００６４】
（Ｓ３２）
対象空調機算出部１は、上記ステップＳ２１〜Ｓ２７と同様の繰り返し処理を、変数ｚについて、初期値ｚ＝０，終値Ｔ−１，増分＋１とし、変数ｘ、ｙについて、初期値ｘ＝ｚ，終値＋Ｔ，増分＋１：初期値ｙ＝０，終値−Ｔ，増分−１の条件で実施する。
【００６５】
このような処理により、対象空調機算出部１は、配置図２００の画素（ドット）のうち、指定位置Ｐから斜め方向に、ｘ＝ｚ〜Ｔ、ｙ＝０〜−Ｔ（ｚ＝０〜Ｔ−１とする）の範囲のドットが、指定位置Ｐの背景色と一致しているかを確認し、背景色と一致している範囲を制御対象範囲ＳＰとする。
【００６６】
（Ｓ３３）
対象空調機算出部１は、上記ステップＳ２１〜Ｓ２７と同様の繰り返し処理を、変数ｚについて、初期値ｚ＝０，終値−Ｔ＋１，増分−１とし、変数ｘ、ｙについて、初期値ｘ＝ｚ，終値−Ｔ，増分−１：初期値ｙ＝０，終値＋Ｔ，増分＋１の条件で実施する。
【００６７】
このような処理により、対象空調機算出部１は、配置図２００の画素（ドット）のうち、指定位置Ｐから斜め方向に、ｘ＝ｚ〜−Ｔ、ｙ＝０〜Ｔ（ｚ＝０〜−Ｔ＋１とする）の範囲のドットが、指定位置Ｐの背景色と一致しているかを確認し、背景色と一致している範囲を制御対象範囲ＳＰとする。
【００６８】
（Ｓ３４）
対象空調機算出部１は、上記ステップＳ２１〜Ｓ２７と同様の繰り返し処理を、変数ｚについて、初期値ｚ＝０，終値−Ｔ＋１，増分−１とし、変数ｘ、ｙについて、初期値ｘ＝ｚ，終値−Ｔ，増分−１：初期値ｙ＝０，終値−Ｔ，増分−１の条件で実施する。
【００６９】
このような処理により、対象空調機算出部１は、配置図２００の画素（ドット）のうち、指定位置Ｐから斜め方向に、ｘ＝ｚ〜−Ｔ、ｙ＝０〜−Ｔ（ｚ＝０〜−Ｔ＋１とする）の範囲のドットが、指定位置Ｐの背景色と一致しているかを確認し、背景色と一致している範囲を制御対象範囲ＳＰとする。
【００７０】
以上のような図１０〜図１２の動作により、配置図２００の仮の範囲ＳＰ１内の各画素について、指定位置Ｐから±ｘ軸方向、±ｙ軸方向、およびｙ＝±ｘ方向に走査して制御対象範囲ＳＰの判定が行われる。
上記動作による画素の走査方向の概念図を、図１３、図１４に示す。
【００７１】
図１３および図１４は実施の形態１に係る画素の走査方向を示す概念図である。
図１３に示すように、仮の範囲ＳＰ１内に、壁や柱などの構造物の表示がなく、指定位置Ｐと同一の背景色である場合、矢印で示すように、仮の範囲ＳＰ１内の全ての画素が、制御対象範囲ＳＰとして判定される。
一方、図１４の黒色で示すように、仮の範囲ＳＰ１内に、壁や柱などの構造物の表示がある場合、矢印で示すように画素を走査する途中で黒色表示の画素を検出すると、それまでの走査範囲（矢印の範囲）が制御対象範囲ＳＰとして判定し、それ以降は走査が行われない。
このように、指定位置Ｐに対し、壁や柱などの構造物の背面側は、制御対象範囲ＳＰとして判定されない。これにより、仮の範囲ＳＰ１のうち、指定位置Ｐの部屋（空調対象空間）とは別の部屋や、指定位置Ｐと同一の部屋であっても構造物により空調機からの吹き出し空気が到達しにくい領域については、制御対象範囲ＳＰから除外することが可能となる。
【００７２】
なお、上記ステップＳ１において、指定位置Ｐの情報として、連続した複数の座標を入力した場合、当該複数の座標のそれぞれについて、上記図１０〜図１２で説明した動作を行う。
【００７３】
（Ｓ３）空調機情報の取得
再び図６に基づき説明する。
対象空調機算出部１は、データ管理部２の空調機位置情報３００を参照し、配置図２００における各空調機の設置位置の情報を取得する。
また、対象空調機算出部１は、空調機管理部５から、各空調機の最新の運転データ（例えば運転開始、運転停止、冷暖房の区分、風速、風量、設定温度等）を取得する。
【００７４】
（Ｓ４）対象空調機の算出
対象空調機算出部１は、ステップＳ２で算出した制御対象範囲ＳＰと、ステップＳ３で取得した各空調機の設置位置の情報とに基づき、設置位置が制御対象範囲ＳＰに含まれる空調機を、制御対象の空調機として選択する。
例えば図９（ｄ）の例では、空調機ＩＤが「２」、「３」、「４」の設置位置の座標が、制御対象範囲ＳＰの座標に含まれるため、これら３台の空調機を制御対象の空調機として選択する。
【００７５】
なお、ステップＳ３で取得した各空調機の運転データに応じて、設置位置が制御対象範囲ＳＰに含まれる空調機であっても、制御対象の空調機から除外しても良い。例えば、風量および風向と空調機の座標位置と指定位置Ｐ間の距離の対応付けを行ったテーブルを予め記憶させておき、風量や風向が基準値よりも不足している場合は、対象から外すなどの制御を行っても良い。
【００７６】
空調機管理部５は、上記処理により選択された制御対象の空調機の動作を制御する。
例えば、指定位置Ｐの空調開始を使用者が望む場合、使用者は入力部３から指定位置Ｐの情報と共に、空調開始の指示を入力する。空調機管理部５は、上記処理により選択された空調機の動作を開始し、当該指定位置Ｐの空調を開始する。
また例えば、指定位置Ｐにおける室内温度を所望の温度とすることを望む場合、使用者は入力部３から指定位置Ｐの情報と共に、設定温度の情報を入力する。空調機管理部５は、上記処理により選択された空調機により検出された室内温度の平均値を算出し、この室内温度が入力された設定温度に近づくように、制御対象の空調機の動作を制御する。
このように、指定位置Ｐの空調環境に与える影響が大きい空調機について動作制御することで、指定位置Ｐを使用者が所望する空調環境とすることができる。
【００７７】
以上のように本実施の形態においては、配置図２００のうち、指定位置Ｐが属する空調対象空間内であって、指定位置Ｐから所定範囲内の領域を、制御対象範囲ＳＰとして求め、配置図２００における設置位置が制御対象範囲ＳＰに含まれる空調機を、制御対象の空調機として選択する。
このため、複数の空調機のうちから、空調対象空間における指定位置の空調環境に影響を与える空調機を選択することができる。
このように、空調機単位ではなく、使用者が入力した指定位置Ｐに、影響を与える空調機を算出することにより、室内環境を使用者の意図した通りに変化させることができるため、室内環境の快適性を向上させることができる。
また、使用者は指定位置Ｐを選択する操作だけを行えば良く、容易に操作可能となるため、作業効率の向上が可能である。
【００７８】
また、指定位置Ｐの空調環境に影響を与える空調機を選択することにより、当該指定位置Ｐの温度を一定に保つ操作が容易になる。このように使用者が意図する指定位置Ｐの温度を一定に保つことによって、空調負荷の削減につながり、エネルギー消費量の削減を図ることができる。
また、使用者が意図しない空間の空調を行うことがなく、室内環境の快適性を向上することができる。また、不要な空調を行うことがなく消費電力の低減が可能となる。
【００７９】
また本実施の形態においては、配置図２００は、空調対象空間の形状および他の空調対象空間との境界を、彩色により表示する画像情報である。そして、対象空調機算出部１は、配置図２００における指定位置の表示色に基づき、制御対象範囲を求める。
このため、空調機の配置位置を表示する配置図２００の情報を利用して制御対象の空調機を選択することができ、制御対象の空調機を選択するための別途の情報を用意する必要がない。
【００８０】
実施の形態２．
本実施の形態２では、実施の形態１の動作に加え、選択した制御対象の空調機に対して、指定位置Ｐの温度情報と空調機の運転モードとから自動的に設定温度の上下操作を実施する。
なお、本実施の形態２における空調管理装置１００の構成、および制御対象の空調機の選択動作は、上記実施の形態１と同様である。なお、実施の形態１と同一の構成には同一の符号を付する。
【００８１】
図１５は実施の形態２に係る空調管理装置の動作を示すフローチャートである。
本実施の形態２では、制御対象の空調機を選択した後、当該制御対象の空調機の温度制御を実施する。
以下、図１５の各ステップに基づき説明する。
【００８２】
（Ｓ４０）
空調機管理部５は、上記実施の形態１の動作により選択された制御対象の空調機から、それぞれ、室内温度の情報を取得する。
【００８３】
（Ｓ４１）
空調機管理部５は、取得した各室内温度に基づき、制御対象の空調機で検出された室内温度の平均値（以下、対象の温度平均という）を算出する。ここで、制御対象の空調機は指定位置Ｐの空調環境に与える影響が大きいため、当該制御対象の空調機で検出された室内温度の平均値は、指定位置Ｐの温度と見なすことができる。
【００８４】
（Ｓ４２）
空調機管理部５は、当該空調管理装置１００が制御対象とする全ての空調機で検出された室内温度を、それぞれ取得する。そして、全ての空調機の全体の室内温度の平均値（以下、全体の温度平均という）を算出する。
【００８５】
（Ｓ４３）
空調機管理部５は、ステップＳ４１で算出した対象の温度平均と、ステップＳ４１で算出した全体の温度平均とを比較し、差を求める。
【００８６】
（Ｓ４４）
空調機管理部５は、ステップＳ４３で求めた対象の温度平均と全体の温度平均との差と、所定の設定値とを比較する。
なお、所定の設定値は、予め設定した値でも良いし、使用者からの入力操作により設定した値でも良い。例えば指定位置Ｐと周辺環境との温度と温度変動を許容する場合には大きい値を設定する。
【００８７】
（Ｓ４５）
上記ステップ４４で、対象の温度平均と全体の温度平均とが等しい（差がゼロ）場合、空調機管理部５は、制御対象の空調機の動作を現状のまま維持して、特段の制御を行わない。
【００８８】
（Ｓ４６）
上記ステップ４４で、対象の温度平均と全体の温度平均との差が設定値より大きい場合、空調機管理部５は、対象の温度平均が全体の温度平均に近づくように、制御対象の空調機の動作を制御する。
具体的には、制御対象の空調機が冷房運転時には、当該空調機の設定温度を下げるように制御する。また、制御対象の空調機が暖房運転時には、当該空調機の設定温度を上げるように制御する。
【００８９】
（Ｓ４７）
上記ステップ４４で、対象の温度平均と全体の温度平均との差が設定値より小さい場合、空調機管理部５は、対象の温度平均が全体の温度平均に近づくように、制御対象の空調機の動作を制御する。
具体的には、制御対象の空調機が冷房運転時には、当該空調機の設定温度を上げるように制御する。また、制御対象の空調機が暖房運転時には、当該空調機の設定温度を下げるように制御する。
【００９０】
このような動作により、空調機管理部５は、指定位置Ｐと周囲の環境との違いを把握し、自動的に設定温度を上下させ、周りの温度との一定化を計る処理を実施する。
【００９１】
なお、上記の動作では、対象の温度平均と全体の温度平均とを比較したが、本発明はこれに限るものではない。例えば全体の温度平均に代えて、使用者が入力した任意の温度を用い、対象の温度平均が当該任意の温度に近づくように、制御対象の空調機の動作を制御するようにしても良い。
【００９２】
また、上記の動作では、ステップＳ４３〜Ｓ４７の処理で、室内温度の大小比較のみで設定温度の上下処理を算出しているが、室内温度の温度差と設定温度の上下幅については、使用者が設定可能としても良い。例えば、室内温度が４℃差であれば、設定温度を１℃変化させるなどの動作としても良い。
【００９３】
以上のように本実施の形態においては、制御対象の空調機で検出された室内温度に基づき、制御対象の空調機の動作を制御する。
このため、１つの空調対象空間に複数の空調機が設置される場合であっても、使用者が意図した指定位置Ｐにおける室内温度を意図した温度に変更することができる。よって、指定位置Ｐにおける空調環境を使用者が所望する空調環境とすることができる。
【００９４】
また本実施の形態においては、制御対象の空調機で検出された室内温度の平均値が、複数の空調機でそれぞれ検出された室内温度全体の平均値に近づくように、制御対象の空調機の動作を制御する。
このため、対象空調機を選択後に周囲環境により温度を変化させることで、環境の一定化を実施することができる。また指定位置Ｐの温度を一定に保つことによって、空調負荷の削減につながり、エネルギー消費量の削減を図ることができる。
【００９５】
なお、本実施の形態では、温度のみの制御を例としているが、風向を指定位置に対して向けても良い。また、温度差によって風量の強弱を変更しても良い。本発明はこれらの種々の変形をも含むことは、言うまでもない。
【符号の説明】
【００９６】
１  対象空調機算出部、２  データ管理部、３  入力部、４  表示部、５  空調機管理部、６  通信管理部、７  ＬＡＮ通信管理部、８  空調機データ記憶部、９  空間情報記憶部、２０  室外機、３０  室内機、３１  室温センサ、１００  空調管理装置、２００  配置図、２１０  空調機アイコン、３００  空調機位置情報。
【図１】
2012172595.tif 000003
【図２】
2012172595.tif 000004
【図３】
2012172595.tif 000005
【図４】
2012172595.tif 000006
【図５】
2012172595.tif 000007
【図６】
2012172595.tif 000008
【図７】
2012172595.tif 000009
【図８】
2012172595.tif 000010
【図９】
2012172595.tif 000011
【図１０】
2012172595.tif 000012
【図１１】
2012172595.tif 000013
【図１２】
2012172595.tif 000014
【図１３】
2012172595.tif 000015
【図１４】
2012172595.tif 000016
【図１５】
2012172595.tif 000017
【国際調査報告】
2012172595.tif 000018
2012172595.tif 000019
2012172595.tif 000020
2012172595.tif 000021